(57)【要約】      （修正有）【課題】例えば屋内のパーティー又はイベント会場等において、あたかも本物の蛍が暗黒の空中で乱舞しているかのような幻想的な情景を演出し、パーティー又はイベント等の興趣を盛り上げると共に、参加者に安らぎと癒やしを与えることであり、装置の主要な構成部材を小型かつ単純化して携行可能とし、パーティー又はイベント会場等の規模に適合した擬似蛍空中浮遊装置を提供する。【解決手段】浮遊装置Ａは、天然蛍に似せた擬似蛍本体１、ヘリウムガスを充填した浮揚体２、当該浮揚体２と擬似蛍本体１とを連繋するテグス（紐体）３及び緑色ＬＥＤを発光、明滅させる発信器４とを主要な構成部材とし、発信器４には１〜複数の発信ボタン４ａ、４ｂ及び４ｃが配設されている。【選択図】図１
0003147211.tif 000002
【実用新案登録請求の範囲】
【請求項１】
緑色ＬＥＤ、ボタン電池及び赤外線受信器を内蔵し、外観形状を蛍に似せた大小複数の擬似蛍本体と、
当該擬似蛍本体を空中に浮揚させる浮揚用ガスを充填した浮揚体と、
前記擬似蛍本体と浮揚体とを連繋する紐体と、
前記緑色ＬＥＤを明滅させるための赤外線発信器と、
前記浮揚体を空中で浮遊させる浮遊させる浮遊手段と、
を備えてなることを特徴とする擬似蛍空中浮遊装置。
【請求項２】
前記浮揚用ガスが、ヘリウムガスである、
ことを特徴とする、請求項１に記載の擬似蛍空中浮遊装置。
【請求項３】
前記浮遊手段が、壁面又は天井に配設された空調装置である、
ことを特徴とする、請求項１〜請求項２の何れかに記載の擬似蛍空中浮遊装置。
【考案の詳細な説明】
【技術分野】
【０００１】
本考案は、擬似蛍空中浮遊装置に係り、より詳しくは、各種ホール、劇場、宴会場又はイベント会場等で使用される擬似蛍空中浮遊装置に関する。
【背景技術】
【０００２】
初夏の風物詩と言われる蛍が暗闇で乱舞する情景は、夜空に輝く星と同様に見る人に安らぎと癒しを与えるものである。近年、蛍が棲息する里山や河川等の環境悪化に伴い、蛍の数は激減し、蛍狩りと称される蛍鑑賞を楽しむ機会が少なくなってきている。特に、都市部においては、蛍の発光を鑑賞することは極めて困難となっている。
【０００３】
ＬＥＤの発光状態を、蛍の発光状態に似させ、見る人に安らぎや癒しを与えることができ、屋外でも鑑賞可能とする、若干の擬似ホタル発生装置が提案されている。例えば、特開２００４−２８６８６０の「擬似ホタル発生装置」（特許文献１）であり、また、ホタルが飛行しながら発光している様子をホタルの発光状態に極めて近い感じで再現することができるとして、実用新案登録３０６５１０８「ホタル発光再現装置」（特許文献２）が提案されている。
【０００４】
特許文献１における解決手段は、複数のＬＥＤと、前記複数のＬＥＤをホタルの光のように発光させる発光制御手段と、前記複数の発光制御手段の発光タイミングを制御する発光タイミングがプログラム可能なシーケンスコントローラとを備え、前記発光制御手段は、防水加工されていることを特徴としている。
【０００５】
特許文献２における解決手段は、筐体の頂壁上面に分布して配置した水平面内で回動可能な複数のギヤユニットと、ギヤユニットに枢支し、ギヤユニットの水平回動に連動して垂直面内で回動可能な支持棒取付部と、ギヤユニットにリンク機構を介して連結し、ギヤユニットを所定の角度範囲内で水平揺動させ、それに連動して支持棒取付部を所定の角度範囲内で垂直揺動させる駆動用モータと、支持棒取付部に水平軸を中心として所定角度づつずれて取り付けた長さの異なる複数の支持棒と、支持棒の先端に取り付けた発光部と、発光部の明滅を制御するコントロールユニットとを備えてなること特徴としている。
【０００６】
しかしながら、特許文献１及び特許文献２は、いずれも装置全体が大がかりであり、実用性に欠けるという問題点がある。即ち、特許文献１の「擬似ホタル発生装置」を構成する主要部材は、水車発電機、コンバータ、バッテリ、シーケンスコントローラ、発光制御基板、ＬＥＤ、温度検出器、直流電圧変換器等々である。また特許文献２の「ホタル発光再現装置」を構成する主要部材は、ギヤユニット、支持棒取付部、駆動用モータ、支持棒、発光部、コントロールユニット等々である。
【特許文献１】特開２００４−２８６８６０号公報
【特許文献２】実登３０６５１０８７号公報
【考案の開示】
【考案が解決しようとする課題】
【０００７】
本考案の第１の課題は、天然蛍が発生する初夏はもちろん、それ以外の季節や蛍が発生しない場所、例えば屋内のパーティー又はイベント会場等において、あたかも本物の蛍が暗黒の空中で乱舞しているかのような幻想的な情景を演出し、パーティー又はイベント等の興趣を盛り上げると共に、参加者に安らぎと癒やしを与えることであり、第２の課題は、装置の主要な構成部材を小型かつ単純化して携行可能とし、パーティー又はイベント会場等の規模に適合した擬似蛍空中浮遊装置を提供することにある。
【課題を解決するための手段】
【０００８】
本考案者は、上記の従来技術が有する各種問題点に鑑み、鋭意検討を重ね、特に緑色ＬＥＤの明滅が天然蛍の発光色に酷似していることに着目し、本考案を完成したものである。
＊＊＊＊＊＊＊＊＊＊＊＊＊＊＊＊＊＊＊＊＊＊＊＊＊＊＊＊＊＊＊＊＊＊＊＊＊＊＊＊
本考案の明細書、図面等に記載の用語についての解釈上の疑義を解消すべく、以下に本願明細書、図面等に記載する用語の説明を行うこととする。
〈用語の説明〉
○擬似蛍とは、外観形状を天然の蛍に似せたゴム又は合成樹脂製の蛍をいう。長手寸法が約８ｍｍ（ヘイケボタルの平均体長）〜１５ｍｍ（ゲンジボタルの平均体長）で厚さ約２〜３ｍｍとしている。
○浮揚体とは、ヘリウムガスが充填されたゴム又は軟質樹脂製の風船をいう。
○紐体とは、擬似蛍本体と浮揚体とを連繋するテグス又はタコ糸等をいう。ＬＥＤ（発光部）を除く擬似蛍本体、紐体及び浮揚体は黒色とされている。
○空調装置とは、屋内に配設された冷暖房装置又は／及び送風装置をいう。浮揚体を左右上下に飛翔、浮遊させるための飛翔、浮遊手段である。
＊＊＊＊＊＊＊＊＊＊＊＊＊＊＊＊＊＊＊＊＊＊＊＊＊＊＊＊＊＊＊＊＊＊＊＊＊
課題を解決するための手段（第１考案〜第3考案）は、本願、実用新案登録請求の範
囲の各請求項に記載の考案であり、具体的には、
第１の考案は、請求項１に記載の考案であり、
第２の考案は、請求項２に記載の考案であり、
第３の考案は、請求項３に記載の考案であり、
【０００９】
［第１の考案］
上記の課題を解決するための第１の考案は、
「緑色ＬＥＤ、ボタン電池及び赤外線受信器を内蔵し、外観形状を蛍に似せた大小複数の擬似蛍本体と、
当該擬似蛍本体を空中に浮揚させる浮揚用ガスを充填した浮揚体と、
前記擬似蛍本体と浮揚体とを連繋する紐体と、
前記緑色ＬＥＤを明滅させるための赤外線発信器と、
前記浮揚体を空中で浮遊させる浮遊させる浮遊手段と」
を備えてなることを特徴としている。
【００１０】
［第２の考案］
上記の課題を解決するための第２の考案は、
「前記浮揚用ガスが、ヘリウムガスである」
ことを特徴としている。
【００１１】
［第３の考案］
上記の課題を解決するための第３の考案は、
「前記浮遊手段が、壁面又は天井に配設された空調装置である、」
ことを特徴としている。
【考案の効果】
【００１２】
本考案に係る擬似蛍空中浮遊装置は、上記した特徴的な構成になるから、以下のような効果を奏する。第１の考案によれば、
「緑色ＬＥＤ、ボタン電池及び赤外線受信器を内蔵し、外観形状を蛍に似せた大小複数の擬似蛍本体と、
当該擬似蛍本体を空中に浮揚させる浮揚用ガスを充填した浮揚体と、
前記擬似蛍本体と浮揚体とを連繋する紐体と、
前記緑色ＬＥＤを明滅させるための赤外線発信器と、
前記浮揚体を空中で浮遊させる浮遊させる浮遊手段と」
を備えてなるという、当業界において想到することが困難な特徴的な構成により、
天然蛍が発生する初夏はもちろん、それ以外の季節や蛍が発生しない場所、例えば屋内のパーティー又はイベント会場等において、あたかも本物の蛍が暗黒の空中で乱舞しているかのような幻想的な情景を演出し、パーティー又はイベント等の興趣を盛り上げると共に、参加者に安らぎと癒やしを与えるという第１の課題と、装置の主要な構成部材を小型かつ単純化して携行可能とし、パーティー又はイベント会場等の規模に適合した擬似蛍空中浮遊装置の提供という第２の課題を解決することができた。
【００１３】
第２の考案によれば、
「前記浮揚用ガスが、ヘリウムガスである」
という、当業界において想到することが困難な特徴的な構成により、
ボンベ内のヘリウムガスは、各種パーティー又はイベント会場等において、浮揚体に安全かつ容易に充填し、会場の規模に適合した大小複数の擬似蛍を浮遊させるができる。
【００１４】
第３の考案によれば、
「前記浮遊手段が、壁面又は天井に配設された空調装置である」
という、当業界において想到することが困難な特徴的な構成により、
空中で発光、明滅しながら浮遊する擬似蛍を、空調装置による風向や強弱により、擬似蛍の動きをコントロールすることができるので、あたかも本物の蛍が暗闇の中で乱舞しているような幻想的な情景を演出することができ、また空調装置は、各種パーティー又はイベント会場等に常備されているので、設備及び運転コスト等を極めて安価とすることができる。
【考案を実施するための最良の形態】
【００１５】
以下、本考案に係る、擬似蛍空中浮遊装置（以下、浮遊装置Ａという）に関する最良の実施形態について、図面を参照しながら説明する。図１は、浮遊装置Ａの主要な構成部材を組み付けた状態示す正面図、図２は、擬似蛍本体を拡大した状態の一部切欠断面図、図３は、浮遊装置Ａをパーティー会場における使用状態を示す斜視図である。
【００１６】
図１に示すように、浮遊装置Ａは、外観形状を蛍に似せた擬似蛍本体１、浮揚用ガスのヘリウムガスを充填した浮揚体２、当該浮揚体２と擬似蛍本体１とを連繋するテグス（紐体）３及び緑色ＬＥＤ１ａを発光、明滅させる赤外線発信器（以下、発信器４という）を主要な構成部材としている。発信器４には１〜複数の発信ボタン４ａ、４ｂ及び４ｃが配設されている。
【００１７】
図２に示す擬似蛍本体１は、ゴム又は合成樹脂材からなり、擬似蛍本体１の下部には緑
色ＬＥＤ１ａが取り付けられ、緑色ＬＥＤ１ａの上方には約５Ｖのボタン電池１ｂと赤外線受信器（以下、受信器１ｃという）が内蔵されている。擬似蛍本体１の外形長手寸法は、約８ｍｍ又は１５ｍｍで厚さ約５〜８ｍｍとしている。日本に棲息する主なホタルは、ヘイケボタル（体長約８ｍｍ前後）とゲンジボタル（体長約１５ｍｍ前後）であり、擬似蛍本体１はその外形に似せている。緑色ＬＥＤ１ａは、発信器４から赤外線が発信されると擬似蛍本体１の受信器１ｃが感知して電流が緑色ＬＥＤ１ａに流れて発光し、間歇的に明滅するようになっている。
【００１８】
浮揚体２は、少なくとも緑色ＬＥＤ１ａ、ボタン電池１ｂ、受信器１ｃ及び擬似蛍本体１の総重量とテグス３を浮揚させるヘリウムガス容量を充填した風船である。また緑色ＬＥＤ１ａの発光部を除く、浮揚体２、擬似蛍本体１及びテグス３は、黒色とされている。
【００１９】
図３は、浮遊装置Ａを結婚披露パーティー会場（以下、パーティー会場Ｐという）における使用状態を示している（新郎新婦、仲人及び出席者等の図示はしない）。パーティー会場Ｐの壁面又は天井には、空調装置Ｋが配設されている。Ｓは、浮遊装置Ａを操作する複数のスタッフで、各自が発信器４を所持している。
【００２０】
次に、浮遊装置Ａの操作手順について説明する。先ず、パーティー会場Ｐ内の照明は全て消灯される。つぎに、複数のスタッフＳは、各自ヘリウムガスが充填された浮揚体２にテグス３を介して連繋された複数の擬似蛍本体１、１、…を把持して、パーティー会場Ｐ内の各所にほぼ等間隔に位置し、把持した擬似蛍本体１、１、…を同時に放散すれば、浮揚体２は徐々に空中に浮揚し始める。続いてスタッフＳが、発信器４の発信ボタン４ａ、４ｂ及び４ｃを順次押下げると発信ボタン４ａ、４ｂ及び４ｃの赤外線を受信器１ｃで受信した各擬似蛍の緑色ＬＥＤ１ａ、１ａ、…は、順次発光し、間歇的に明滅しながら浮揚する。擬似蛍本体１、１、…が一定の高さに達すると、空調装置Ｋ担当のスタッフ（図示しない）は、壁面又は天井の空調装置Ｋを起動させ、各浮揚体２、２、…に送風し、擬似蛍本体１、１、…が、パーティー会場Ｐの暗黒の中で、あたかも天然蛍が乱舞するように、風の風向や強さを調整しながら操作し、幻想的かつ幽玄の空間を演出する。
【図面の簡単な説明】
【００２１】
【図１】は、浮遊装置Ａの主要な構成部材を組み付けた状態示す正面図である。
【図２】は、擬似蛍本体を拡大した状態の一部切欠断面図である。
【図３】は、浮遊装置Ａをパーティー会場における使用状態を示す斜視図である。
【符号の説明】
【００２２】
Ａ                  浮遊装置
Ｓ                  スタッフ
Ｋ                  空調装置
１                  擬似蛍本体
１ａ                緑色ＬＥＤ
１ｂ                ボタン電池
１ｃ                受信器
２                  浮揚体
３                  紐体
４                  発信器
４ａ、４ｂ、４ｃ    発信ボタン
【図１】
0003147211.tif 000003
【図２】
0003147211.tif 000004
【図３】
0003147211.tif 000005